(57)【要約】【課題】従来は複数台の携帯電話同士間、又は携帯電話と他の情報機器との間でＬＡＮを構築して、複数端末とのマルチアクセス、又はＬＡＮ上のノードとしての機能は実現していない。【解決手段】携帯電話１０Ａに携帯電話１０Ｂ、１０Ｃ及び１０ＤがＬＡＮケーブル３２〜３４で接続された、高速な有線ＬＡＮが構築され、端末１０Ａがインターネットに接続できる環境であれば、携帯電話１０Ｂ、１０Ｃ及び１０Ｄがインターネットに接続できない環境でも、ブラウザさえ搭載されていれば、携帯電話１０Ａを介してインターネットに接続し、ホームページを閲覧することができる。このシステムは、携帯電話１０Ａ〜１０Ｄで共有のできるファイル格納メモリを搭載することにより、データファイル交換ができる。携帯電話１０Ａ’と卓上型携帯電話用ルータ３１との間では無線ＬＡＮが構築される。【選択図】　　　　　　図３
2004015524.tif 000002
【特許請求の範囲】
【請求項１】
無線端末が着脱自在であり、接続されていない第１の無線端末との間で無線通信可能なルータと、
前記ルータにケーブルを介して接続された複数台の第２の無線端末と
を有し、前記第１及び第２の無線端末は前記ルータを介してローカルエリアネットワークを構成しており、前記第１の無線端末は外部の通信ネットワークと接続可能な構成であることを特徴とするネットワークシステム。
【請求項２】
無線端末が着脱自在であり、接続されていない無線端末との間で無線通信可能なルータと、
前記ルータにケーブルを介して接続された前記無線端末以外の複数台の情報端末機器と
を有し、前記無線端末は外部の通信ネットワークと接続可能な構成であることを特徴とするネットワークシステム。
【請求項３】
前記無線端末は、外部記憶装置格納部とＬＡＮポートを有する携帯電話であることを特徴とする請求項１又は２記載のネットワークシステム。
【請求項４】
ルータと、該ルータに接続された集線装置と、該集線装置にケーブルを介して接続された一台以上のパーソナルコンピュータ及び一台以上の無線端末とよりなり、前記パーソナルコンピュータ及び無線端末は有線ローカルエリアネットワークを構成していることを特徴とするネットワークシステム。
【請求項５】
他の無線端末又は情報端末とローカルエリアネットワークを構成する無線端末であって、
ルータに接続可能な端子と、
前記ルータに対して通信可能な第１の通信手段と、
移動通信網に対して通信可能な第２の通信手段と、
外部の記憶装置と接続可能な外部記憶装置格納部と、
前記ローカルエリアネットワークを構成する他の無線端末又は情報端末にケーブルを介して接続されるＬＡＮポートと
を有し、前記ローカルエリアネットワークのノードとして機能することを特徴とする無線端末。
【請求項６】
前記第１の通信手段と、前記第２の通信手段とは、互いに異なる無線周波数を使用して無線通信することを特徴とする請求項５記載の無線端末。
【発明の詳細な説明】
【０００１】
【発明の属する技術分野】
本発明はネットワークシステム及び無線端末に係り、特に携帯電話を用いて構築されたネットワークシステム及びそれに用いる無線端末に関する。
【０００２】
【従来の技術】
近年の携帯電話の急速な普及と無線技術の進歩に伴い、携帯電話間の音声やデータ通信だけでなく、携帯電話と他の機器との間で無線ネットワークを構築してデータ通信することが可能となってきている。この無線ネットワークシステムとして、ブルーツース（Ｂｌｕｅｔｏｏｔｈ）によるネットワークや、ＩｒＤＡ（Ｉｎｆｒａｒｅｄ　Ｄａｔａ　Ａｓｓｏｃｉａｔｉｏｎ）方式の赤外線通信ネットワークが知られている。
【０００３】
上記のＢｌｕｅｔｏｏｔｈによるネットワークでは、免許なしで使用可能な２．４５ＧＨｚの電波を利用して、パーソナルコンピュータ（以下、パソコン）やＰＤＡ（Ｐｅｒｓｏｎａｌ　Ｄｉｇｉｔａｌ　Ａｓｓｉｓｔａｎｔｓ）などの情報機器と携帯電話との間で、ピコネット（ｐｉｃｏ−ｎｅｔ）と呼ばれる無線通信網を構築してデータ通信を行う。また、上記のＩｒＤＡ方式の赤外線通信ネットワークでは、パソコンやＰＤＡと携帯電話との間で無線（赤外線）データ通信を行う。
【０００４】
【発明が解決しようとする課題】
しかしながら、従来は複数台の携帯電話同士間、又は携帯電話と他の情報機器との間でローカル・エリア・ネットワーク（ＬＡＮ）を構築して、複数端末とのマルチアクセス、又はＬＡＮ上のノードとしての機能は実現していない。また、通信上でデータ交換（ストレージ）としての機能も実現していない。
【０００５】
なお、従来、移動通信網とローカル網の双方に同時接続可能な移動端末装置と、固定通信網と前記ローカル網との間を中継するゲートウェイ装置とを含む通信システムにおいて、移動端末装置が、ローカル網を介してパケット通信すべき通信相手のネットワーク上の位置に関する情報を問い合わせるための問い合わせメッセージを送信する問い合わせメッセージ送信手段と、受信した応答メッセージに基づいて、通信相手とのパケット通信のために自装置が使用すべきアドレスを取得し、ローカル網との通信インタフェースを割り当てるアドレス割り当て手段とを備え、ゲートウェイ装置が、前記問い合わせメッセージを受信した場合に、通信相手のネットワーク上の位置を検索する検索手段と、この検索手段の検索結果を、前記応答メッセージとして前記移動端末装置へ送信する送信手段とを備えた通信システムが知られている（特開２００２−８４３１７号公報）。
【０００６】
しかし、上記の公報記載の通信システムは、移動通信網で通信中にローカル網に入る際のアドレス設定や通信経路を判断して設定可能とするものであり、複数台の携帯電話同士間、又は携帯電話と他の情報機器との間でＬＡＮを構築して、複数端末とのマルチアクセス、又はＬＡＮ上のノードとしての機能を実現することには言及していない。
【０００７】
本発明は以上の点に鑑みなされたもので、従来の携帯電話のようなピアツーピア環境での通信だけではなく、少なくとも無線端末を含む複数の端末との間でマルチアクセス機能、データ交換（ストレージ）が可能なネットワークシステム及び無線端末を提供することを目的とする。
【０００８】
また、本発明の他の目的は、無線端末がＬＡＮ上のノードとしての機能を有するネットワークシステム及び無線端末を提供することにある。
【０００９】
【課題を解決するための手段】
上記の目的を達成するため、本発明のネットワークシステムは、無線端末が着脱自在であり、接続されていない第１の無線端末との間で無線通信可能なルータと、ルータにケーブルを介して接続された複数台の第２の無線端末とを有し、第１及び第２の無線端末はルータを介してローカルエリアネットワークを構成しており、第１の無線端末は外部の通信ネットワークと接続可能な構成であることを特徴とする。
【００１０】
この発明では、第１の無線端末がルータに接続されているときには、複数台の第２の無線端末との間で有線ＬＡＮが構築され、第１の無線端末がルータに接続されていないときには、第１の無線端末とルータとの間で無線ＬＡＮが構築され、かつ、複数台の第２の無線端末の間で有線ＬＡＮが構築される。
【００１１】
また、本発明は上記の目的を達成するため、無線端末が着脱自在であり、接続されていない無線端末との間で無線通信可能なルータと、ルータにケーブルを介して接続された無線端末以外の複数台の情報端末機器とを有し、無線端末は外部の通信ネットワークと接続可能な構成としたことを特徴とする。
【００１２】
この発明では、無線端末がルータに接続されているときには、無線端末と複数台の情報端末機器との間で有線ＬＡＮが構築され、無線端末がルータに接続されていないときには、無線端末とルータとの間で無線ＬＡＮが構築され、かつ、複数台の情報端末機器の間で有線ＬＡＮが構築される。上記の発明では、無線端末をＩＰ電話として使用している場合は、無線ＬＡＮ技術を使用し、ルータと離れていても通信を確保できる。
【００１３】
また、本発明のネットワークシステムは、上記の目的を達成するため、ルータと、ルータに接続された集線装置と、集線装置にケーブルを介して接続された一台以上のパーソナルコンピュータ及び一台以上の無線端末とよりなり、パーソナルコンピュータ及び無線端末は有線ローカルエリアネットワークを構成していることを特徴とする。この発明では、家庭用ＬＡＮに無線端末を接続することができる。
【００１４】
また、本発明の無線端末は、上記の目的を達成するため、他の無線端末又は情報端末とローカルエリアネットワークを構成する無線端末であって、ルータに接続可能な端子と、ルータに対して通信可能な第１の通信手段と、移動通信網に対して通信可能な第２の通信手段と、外部の記憶装置と接続可能な外部記憶装置格納部と、ローカルエリアネットワークを構成する他の無線端末又は情報端末にケーブルを介して接続されるＬＡＮポートとを有し、ローカルエリアネットワークのノードとして機能する構成としたものである。ここで、上記の第１の通信手段と第２の通信手段とは、互いに異なる無線周波数を使用して無線通信する。
【００１５】
【発明の実施の形態】
次に、本発明の実施の形態について図面と共に説明する。図１（Ａ）及び（Ｂ）は本発明になる無線端末の一実施の形態の正面図及び側面図を示す。本発明の無線端末の一実施の形態である携帯電話１０は、図１（Ａ）、（Ｂ）に示すように、筐体１１の正面に表示部１１が設けられ、筐体１１の側面に外部記憶媒体格納部１３と、ＬＡＮポート１４とが設けられている。更に、筐体１１の上部にはアンテナ１５が設けられている。なお、図１には図示していないが、携帯電話１０の筐体１１の底部等の所定個所には、卓上型携帯電話用ルータとの接続用スロットが設けられている。また、図示していないが、筐体１１の所定位置には、キースイッチ等の入力部が設けられていることは勿論である。
【００１６】
上記のＬＡＮポート１４としては、１００ＢＡＳＥ−Ｔｘ（１００Ｍｂｐｓ）に対応したものが実装される。このデータ転送速度は、赤外線のＩｒＤＡ方式の１１５．２ｋｂｐｓ〜４Ｍｂｐｓ、Ｂｌｕｅｔｏｏｔｈ方式の双方向で１Ｍｂｐｓに比べて、極めて高速である。また、外部記憶媒体格納１３が設けられているのは、後述するように携帯電話１０がＬＡＮのノードを構成するときに、ＬＡＮに接続されている他の機器とのファイル交換を行うために、データを格納するためのメモリを必要とするが、その際に、ＳＤ（ｓｅｃｕｒｅ　ｄｉｇｉｔａｌ）メモリカードのような小型メモリカードなどの、小型かつ大容量の記憶媒体を使用できるようにするためである。
【００１７】
図２は本発明になる無線端末の一実施の形態の要部のブロック図を示す。同図において、本発明の無線端末の一実施の形態である携帯電話は、音声通信及びデータ通信に必要な機能ブロックを備えていることは勿論であるが、その無線部は、互いに異なる２つの周波数を使用する第１の無線回路２１及び第２の無線回路２２と、これら無線回路２１及び２２の動作を制御する制御回路２３とより構成されている。
【００１８】
ここで、第１の無線回路２１は対ルータ用の無線回路であり、内蔵アンテナ２４によりルータとの間で無線通信可能とされている。また、第２の無線回路２２は対移動通信網用の無線回路であり、内蔵アンテナ又は外付けアンテナ２５により既存の移動通信網の基地局との間で従来と同様の移動無線通信可能な構成とされている。なお、図１に示したアンテナ１５は、アンテナ２５が外付けアンテナの場合のアンテナである。このように、本実施の形態では、無線端末は、２つの無線周波数を使用するため、２つの無線回路２１及び２２を備えている点に特徴がある。
【００１９】
図３は本発明になる通信ネットワークシステムの第１の実施の形態のシステム構成図を示す。同図において、携帯電話１０Ａは卓上型携帯電話用ルータ３１に接続されており、また、携帯電話１０Ｂ、１０Ｃ及び１０ＤはそれぞれＬＡＮケーブル３２、３３及び３４を介して卓上型携帯電話用ルータ３１に接続されている。上記のＬＡＮケーブル３２、３３及び３４としては、例えば１００ＢＡＳＥ−Ｔｘ等の高速通信が可能なケーブルが使用される。また、携帯電話１０Ａ〜１０Ｄは、それぞれ同一構成で、前記図１及び図２に示した外観及び内部構成とされている。
【００２０】
これにより、携帯電話１０Ａに携帯電話１０Ｂ、１０Ｃ及び１０ＤがＬＡＮケーブル３２〜３４で接続された、高速な有線ＬＡＮが構築され、端末１０Ａがインターネットに接続できる環境であれば、携帯電話１０Ｂ、１０Ｃ及び１０Ｄがインターネットに接続できない環境でも、ブラウザさえ搭載されていれば、携帯電話１０Ａを介してインターネットに接続し、ホームページを閲覧することができる。
【００２１】
また、パソコンＬＡＮと同様に、携帯電話１０Ａ〜１０Ｄで共有のできるファイル格納メモリを搭載することにより、データファイル交換ができる。このデータファイル交換は、携帯電話１０Ａと携帯電話１０Ｂ、１０Ｃ及び１０Ｄとの間でできることは勿論のこと、携帯電話１０Ｂ、１０Ｃ及び１０Ｄの間でも有線ＬＡＮを構成しているので可能である。
【００２２】
なお、携帯電話１０Ａはルータ３１とは着脱自在の構成とされており、１０Ａ’で示すように、卓上型携帯電話用ルータ３１から取り外したときには、携帯電話１０Ａ’は前記無線回路２１及び内蔵アンテナ２４を介して卓上型携帯電話用ルータ３１との間で無線通信可能とされているため、携帯電話１０Ａ’と卓上型携帯電話用ルータ３１との間では無線ＬＡＮが構築され、携帯電話１０Ｂ、１０Ｃ及び１０Ｄの間では有線ＬＡＮが構築される。
【００２３】
これにより、携帯電話１０Ａ’がインターネットに接続できる環境であれば、携帯電話１０Ｂ、１０Ｃ及び１０Ｄがインターネットに接続できない環境でも、ブラウザさえ搭載されていれば、携帯電話１０Ａ’及び卓上型携帯電話用ルータ３１を介してインターネットに接続し、ホームページを閲覧することができる。また、パソコンＬＡＮと同様に、携帯電話１０Ａ’、１０Ｂ、１０Ｃ及び１０Ｄで共有のできるファイル格納メモリを搭載することにより、データファイル交換ができる。
【００２４】
次に、本発明の第２の実施の形態について説明する。図４は本発明になる通信ネットワークシステムの第２の実施の形態のシステム構成図を示す。同図中、図３と同一構成部分には同一符号を付し、その説明を省略する。図４において、卓上型携帯電話用ルータ３１には携帯電話１０Ａが接続されると共に、デスクトップパソコン（ＰＣ）４１、ノートパソコン（ＰＣ）４２及び４３が、それぞれＬＡＮケーブル４４、４５及び４６を介して接続されている。
【００２５】
ここで、デスクトップＰＣ４１、ノートＰＣ４２及び４３は、既存の有線ＬＡＮを構成しており、また、携帯電話１０Ａと共に有線ＬＡＮを構成している。これにより、携帯電話１０ＡはデスクトップＰＣ４１、ノートＰＣ４２及び４３との間で、高速なデータ通信ができると共に、携帯電話１０ＡにＬＡＮ接続機器との間で共有のできるファイル格納メモリを搭載することにより、デスクトップＰＣ４１や、ノートＰＣ４２及び４３との間でデータファイル交換ができる。
【００２６】
また、携帯電話１０Ａがインターネットに接続できる環境であれば、携帯電話１０Ａを介してインターネットに接続し、デスクトップＰＣ４１、ノートＰＣ４２及び４３でホームページを閲覧することができる。
【００２７】
なお、携帯電話１０Ａは卓上型携帯電話用ルータ３１とは着脱自在の構成とされており、１０Ａ’で示すように、卓上型携帯電話用ルータ３１から取り外したときには、携帯電話１０Ａ’は前記無線回路２１及び内蔵アンテナ２４を介して卓上型携帯電話用ルータ３１との間で無線通信可能とされているため、携帯電話１０Ａ’と卓上型携帯電話用ルータ３１との間では無線ＬＡＮが構築され、デスクトップＰＣ４１、ノートＰＣ４２及び４３の間では有線ＬＡＮが構築される。
【００２８】
これにより、携帯電話１０Ａ’がインターネットに接続できる環境であれば、デスクトップＰＣ４１、ノートＰＣ４２及び４３は、携帯電話１０Ａ’及び卓上型携帯電話用ルータ３１を介してインターネットに接続し、ホームページを閲覧することができる。
【００２９】
更に、インターネット常時接続の環境下で、携帯電話１０Ａ又は１０Ａ’をノードとしてＬＡＮを構築した場合、携帯電話１０Ａ又は１０Ａ’にグローバルＩＰアドレスを割り当てることができるので、携帯電話１０Ａ又は１０Ａ’をＩＰ電話として利用することができる。また、携帯電話１０Ａ（１０Ａ’）の利便性を考慮すると、その携帯電話１０Ａ（１０Ａ’）はデスクトップＰＣ４１、ノートＰＣ４２及び４３のデータ持ち運びができるストレージとしての役割を持てる。
【００３０】
次に、本発明の第３の実施の形態について説明する。図５は本発明になる通信ネットワークシステムの第３の実施の形態のシステム構成図を示す。同図中、図１、図４と同一構成部分には同一符号を付し、その説明を省略する。図５において、デスクトップＰＣ４１、ノートＰＣ４２及び携帯電話１０は、集線装置であるハブ（ＨＵＢ）５１にＬＡＮケーブル５２、５３及び５４を介して接続されており、互いに有線ＬＡＮを構成している。また、ＨＵＢ５１はルータ５５に接続されている。
【００３１】
この実施の形態は、家庭用のＬＡＮであり、デスクトップＰＣ４１、ノートＰＣ４２及び携帯電話１０により有線ＬＡＮが構築されており、互いの間でデータファイル交換が可能である。また、ルータ５５を介してインターネットに接続している時には、デスクトップＰＣ４１、ノートＰＣ４２及び携帯電話１０によりホームページの閲覧が可能である。
【００３２】
また、第２の実施の形態と同様に、インターネット常時接続の環境下で、携帯電話１０をノードとしてＬＡＮを構築した場合、携帯電話１０にグローバルＩＰアドレスを割り当てることができるので、携帯電話１０をＩＰ電話として利用することができる。また、携帯電話１０の利便性を考慮すると、その携帯電話１０はデスクトップＰＣ４１、ノートＰＣ４２のデータ持ち運びができるストレージとしての役割を持てる。
【００３３】
【発明の効果】
以上説明したように、本発明によれば、第１の無線端末がルータに接続されているときには、複数台の第２の無線端末又は無線端末以外の情報端末機器との間で有線ＬＡＮが構築され、第１の無線端末がルータに接続されていないときには、第１の無線端末とルータとの間で無線ＬＡＮが構築され、かつ、複数台の第２の無線端末の間又は情報端末機器との間で有線ＬＡＮが構築されるため、第１の無線端末と第２の無線端末又は情報端末機器との間でデータの共有化、交換が容易にできる。
【００３４】
また、本発明によれば、ルータを介してインターネットに接続できるＬＡＮ環境を実現できるため、ルータに接続可能な第１の無線端末を携帯電話とすることにより、ビジネスにおけるプレゼンテーションや打ち合わせ時に有効に活用でき、また、携帯電話をストレージとして活用できる。
【００３５】
更に、本発明によれば、インターネット常時接続の環境下で無線端末をノードとしてＬＡＮを構築することにより、無線端末にグローバルＩＰアドレスを割り当てることができるようにしたため、無線端末をＩＰ電話として利用できる。
【図面の簡単な説明】
【図１】本発明の無線端末の一実施の形態の正面図及び側面図である。
【図２】本発明の無線端末の一実施の形態の要部のブロック図である。
【図３】本発明システムの第１の実施の形態のシステム構成図である。
【図４】本発明システムの第２の実施の形態のシステム構成図である。
【図５】本発明システムの第３の実施の形態のシステム構成図である。
【符号の説明】
１０、１０Ａ、１０Ａ’、１０Ｂ、１０Ｃ、１０Ｄ　携帯電話
１１　筐体
１２　表示部
１３　外部記憶媒体格納部
１４　ＬＡＮポート
１５　アンテナ
２１、２２　無線回路
２３　制御回路
２４　内蔵アンテナ（無線ＬＡＮ用）
２５　内蔵アンテナ又は外付けアンテナ（移動通信網用）
３１　卓上型携帯電話用ルータ
３２、３３、３４、４４、４５、４６、５２、５３、５４　ＬＡＮケーブル
４１　デスクトップパソコン（ＰＣ）
４２、４３　ノートパソコン（ＰＣ）
５１　集線装置（ＨＵＢ）
５５　ルータ
【図１】
2004015524.tif 000003
【図２】
2004015524.tif 000004
【図３】
2004015524.tif 000005
【図４】
2004015524.tif 000006
【図５】
2004015524.tif 000007